Podtech/llm-jp-corpus-v4-ja_patent huggingface dataset:
(57)【要約】【課題】水を飲む時又お茶を飲む時、何かの加減で気道に入りむせてひどい時には、息が出来なくなることがある、まして高齢者は気を付けなければなりません。むせないためには水を飲む時に口を上向きにしないことです。【解決手段】本発明はコップの取っ手を約３０°外側へ寝かせて付けたそのために手に持った時既にコップが３０°傾いているため水が静かに、口に当たるから一度に沢山は飲めずそれに口を上向きに極端にすることなく飲み干すことが出来る。【選択図】　　　　　　図１
2004008772.tif 000002
【特許請求の範囲】
【請求項１】
従来の湯飲み茶碗の取手の位置より
【請求項２】
約３０°傾けた。
【発明の詳細な説明】
【０００１】お茶を飲むとき口を真上の位置にしなくても飲めるので気管に水が入りにくいのでむせないで飲める。
【０００２】
【従来の技術】コーヒーのカップには縦方向に柄が付いているが、これを約３０°角度を付けた。これにより飲む度に後ろえ体を反らす必要もなく、むせることもない。
【０００３】
【発明が解決しようとする課題】
湯飲み茶碗は比較的大きく重く出来ていて熱いお茶が入るのて取っ手が付くと便利であった。
【０００４】
湯飲茶碗はせとものだから大きさも揃えるのが難しく、取っ手も一様に行かない難しさもある。
【０００５】
【発明の実施の形態】
通常の湯飲み茶碗にアールの付いた取っ手を３０°傾けてつけた。
【０００６】
【０００７】
【０００８】
【０００９】
【発明の効果】
水を慌てて飲んだ時又は高齢者の方がお茶を飲む時など気管に水を入れて、むせる事がよくありますが、このコップは一度にカブ飲みが出来ないので「むせない」で飲める、通常は柄が垂直に付いていいるが、これは持った時既に３０°傾いているから飲みやすい。
従ってガブ飲みしなくても容易に思っただけ水が飲めコップを逆さにする程傾ける必要がない。
【図面の簡単な説明】
【図１】外観図
【図２】横断面図
【図３】平面図
【符号の説明】
外観図・平面図・および横断面。
【図１】
2004008772.tif 000003
【図２】
2004008772.tif 000004
【図３】
2004008772.tif 000005
(57)【要約】【課題】マラソン等のスピード競技において、多数の走者が同時にゲートを通過する時間を管理できるＩＤ受信装置を提供する。【解決手段】走者から発信されるＩＤ信号を受信するアンテナとして、指向性のあるアンテナを組み合わせて、受信漏れを防止する。【選択図】　　　図２
2004008778.tif 000002
【特許請求の範囲】
【請求項１】
マラソンや長距離競争などのスピード競技で、個々の走者が持つ固有のＩＤ番号を送信するＩＤタグの信号を、特定の通過点やゴール地点にゲートを設けて受信するＩＤ受信装置において、指向性のあるアンテナを使用することを特徴とするＩＤ受信装置。
【請求項２】
前記ＩＤ受信アンテナは、走者が走るコースの両側に複数の八木アンテナを設置して構成することを特徴とする、請求項１記載のＩＤ受信装置。
【請求項３】
前記ＩＤ受信アンテナは、走者が走るコース内の地面に単一型アンテナを設置すると共に、コースの両側に複数の八木アンテナを組み合わせて設置する構成とすることを特徴とする、請求項１記載のＩＤ受信装置。
【発明の詳細な説明】
【０００１】
【発明の属する技術分野】本発明は、マラソンや長距離走等の多人数が同時に走る走者の競技時間を計測管理するＩＤ受信装置の受信アンテナに関する。
【０００２】
【従来の技術】従来の方法は、ＩＤタグから送信される高周波信号を、特別な指向性を持たない単一型（ループ型やダイポール型またはホイップ型等）のアンテナを、走者の至近距離に配置し、受信していた。
【０００３】これらの単一型アンテナを図１のように、走者が通過する幅が広い場合は、コース内の地面に多数のアンテナを配置していた。
【０００４】
【発明が解決しようとする課題】以上の従来技術によれば、走者の邪魔にならないように、アンテナを地面に貼り付けるように設置しなければならないため、受信範囲が狭くなり、受信漏れが発生しやすい。
また、雨などで地面が濡れている場合は、水分でＩＤ信号が吸収されて、さらに受信しにくくなる欠点もあった。
【０００５】
【課題を解決するための手段】以上の課題を解決するため、請求項１の発明は、ＩＤ受信装置に指向性アンテナを使用することで、走者の邪魔にならないようにして、ＩＤ信号を受信する装置である。
【０００６】請求項２の発明は、走者が走るコースの幅が広い場合に適するアンテナ構成のＩＤ信号を受信する装置である。
【０００７】請求項３の発明は、同時に通過する走者の人数が多い場合に適するアンテナ構成のＩＤ信号を受信する装置である。
【０００８】
【発明の実施の形態】発明の実施の形態を実施例にもとづき図面を参照して説明する。
図２に、ゲートにおける走者から発信されるＩＤ信号を受信する装置を示す。
走者２１〜２５が、ゲート１２を通過する時に発信されるＩＤ信号は、コースの両側に配置された指向性アンテナ（八木アンテナ等）３１〜３４の破線で示す受信範囲に入ると、それぞれのアンテナで受信される。
【０００９】例えば、ＩＤ信号の送信周波数は１００ＭＨｚ〜４００ＭＨｚあたりが適当な周波数で、アンテナは３〜１０素子程度の八木アンテナが効果的である。
【００１０】指向性アンテナは、コースの幅が狭い時は、コースの両側に各々１本だけ設置しても良い。
コースの幅が非常に狭い時は、コースの片方に１本だけ設置する方法も良い。
【００１１】図１と図２に示すアンテナを全て組み合わせると、走者が走るコースの幅が広く、同時に多数の走者が走り抜ける場合においても受信し易くなる。また、八木アンテナのような指向性のアンテナを更に増やして多数組み合わせると、その分受信漏れに効果が大きくなる。
【００１２】
【発明の効果】以上説明したように、本発明によれば、マラソン等のスピード競技において、大勢の走者のゲートを走り抜ける各々の通過時刻等を的確に管理する装置を提供するものである。
【図面の簡単な説明】
【図１】従来のＩＤ受信装置。
【符号の説明】
１１　走者が走るコースの境界
１２　時間計測するゲートの位置
２１〜２５　走者
３１〜３４　受信アンテナ
４１　ＩＤ受信機
【図１】
2004008778.tif 000003
【図２】
2004008778.tif 000004
【手続補正書】
【提出日】平成14年8月20日(2002.8.20)
【手続補正１】
【補正対象書類名】明細書
【補正対象項目名】図面の簡単な説明
【補正方法】変更
【補正の内容】
【図面の簡単な説明】
【図１】従来のＩＤ受信装置。
【図２】本考案によるＩＤ受信装置の実施例。
【符号の説明】
１１　走者が走るコースの境界
１２　時間計測するゲートの位置
２１〜２５　走者
３１〜３４　指向性受信アンテナ
４１　ＩＤ受信機
(57)【要約】　　　（修正有）【課題】アームを折りたたむことによって、どのような素材・形態の衣服も簡単に吊る事ができるハンガーを提供する。【解決手段】ハンガーのアーム１をヒンジ４でレバー２とつなぎ、レバーは本体３と軸ａ５で固定され、その軸ａを支点に回転できる。アームは同じく本体に軸ｂ６で固定され、軸ｂが通る溝７があけてある。アームは軸ｂを支点に回転できると共に溝の範囲で動くことが出来る。２対のアームとレバーを、１つの本体に左右相対するような位置関係に収め、レバーどうしが弾力体８で離れた状態となるように維持された状態となる。２対のレバーどうしを近づける様に力をかけると、それぞれの軸ａを中心にヒンジ４部どうしが離れるように動かされる。更に、ヒンジにつながれたそれぞれのアームが軸ｂを中心に近づく様に動かされる。【選択図】図１
2004008777.tif 000002
【特許請求の範囲】
【請求項１】
ハンガーのアーム（１）をヒンジ（４）でレバー（２）とつなぐ。レバーは本体（３）と軸ａ（５）で固定され、その軸ａ（５）を支点に回転できる。アーム（１）は同じく本体（３）に軸ｂ（６）で固定され、軸ｂ（６）が通る溝（７）があけてある。アーム（１）は軸ｂ（６）を支点に回転できると共に溝（７）の範囲で動くことが出来る。２対のアーム（１）とレバー（２）を、１つの本体（３）に左右相対する位置関係に収め、レバー（２）どうしが弾力体（８）で離れた状態となるように維持されたハンガー。
【発明の詳細な説明】
【０００１】
【発明の属する技術分野】
本発明は衣服等を掛けるハンガーをより使い易くしたものである。
【０００２】
【従来の技術】
従来のハンガーのアーム部分は固定されたものである。
【０００３】
【発明が解決しようとする課題】
従来のハンガーはアームが固定されており、ブレザー等前開きの衣服を掛けるのには不自由ではないが、セーター等の前の開かない衣服を掛けるときは、衣服の首周りを伸ばしてハンガーのアーム部を通さねば掛けられなかった。本発明は上記欠点を解決するために考案したものである。
【０００４】
【課題を解決するための手段】
ハンガーのアーム（１）部を左右に二分し、それぞれヒンジ（４）を付けて下方に折りたためるようにしたものである。
【０００５】
【作用】
アーム（１）を折りたたむレバー（２）を閉じると、アーム（１）は下方に折れる。この状態で衣服の中にアーム（１）及び本体（３）を入れ、そのままレバー（２）をはなすと弾力体の作用で自動的にアーム（１）は開き元の形となり、衣服が吊れる状態になる。いったん元の形になるとレバー（２）を動かさない限りアーム（１）は折れること無く、衣服を吊る事ができる。
【０００６】
【発明の効果】
以上の様に、形態・素材を選ばず、どのような衣服でも簡単にかけることができるハンガーを提供する。
【図面の簡単な説明】
【図１】本発明の正面図である
【図２】本発明の側面図である
【図３】本発明のレバーを閉じてアームを折りたたむ途中の正面図である。
【図４】本発明のレバーを閉じてアームを折りたたんだ時の正面図である。
【符号の説明】
１．アーム
２．レバー
３．本体
４．ヒンジ
５．軸ａ
６．軸ｂ
７．溝
８．弾力体
【図１】
2004008777.tif 000003
【図２】
2004008777.tif 000004
【図３】
2004008777.tif 000005
【図４】
2004008777.tif 000006
(57)【要約】　　　（修正有）【課題】長時間座ってもお尻の血行不良が発生しにくく、お尻が痛くならないクッションを提供する。【解決手段】座布団あるいは椅子のクッションのお尻が当たる左右部分の厚さを個別に変化させることができるようにした。【選択図】図２
2004008774.tif 000002
【特許請求の範囲】
【請求項１】
左右のお尻の当たる部分の厚さを、各々個別に変える事ができる座布団或いは椅子のクッション。
【請求項２】
図１において、クッション▲１▼▲２▼は接続パイプ▲２０▼▲２１▼で接続され、接続パイプ▲２０▼には、ストップ弁▲５▼及び逆止弁▲７▼を設け、接続パイプ▲２１▼にはストップ弁▲１５▼逆止弁▲２３▼を設けた空気入り座布団或いは椅子のクッション。
【発明の詳細な説明】
【０００１】
【産業上の利用分野】
この発明は、座布団あるいは椅子のお尻が当たる左右部分がそれぞれ個別に厚みを変化させる事ができるクッションに関するものである。
【０００２】
【従来の技術】
従来から、座布団或いは椅子のクッションのお尻が当たる左右部分の厚さが個別に変化するものは無かった。
【０００３】
【発明が解決しようとする課題】
これには次のような欠点があった。
▲１▼柔らかい座布団或いは椅子のクッションであっても、長時間座るとお尻の血行が阻害され、お尻が痛くなり、疲労の原因となる。
▲２▼電車、乗用車或いは他のクッションも長時間座ると同様にお尻が痛くなり、疲労の原因となる。
【０００４】
【課題を解決するための手段】
図１は本考案クッションの平面図、図２は側面図を表す。
▲１▼▲２▼は空気入りクッション、▲２０▼▲２１▼はクッション間を結ぶ接続パイプで、パイプは臀部の対応する位置に各々のクッションがくる長さとする。▲３▼▲６▼▲８▼及び▲１３▼▲２２▼▲２４▼はクッションの空気流通孔である。接続パイプ▲２０▼の中には逆止弁▲７▼があり、空気はクッション▲１▼から▲２▼の方向、及び接続パイプ▲２１▼の中には逆止弁▲２３▼があり、空気はクッション▲２▼から▲１▼の方向へ流れる。又ストップ弁▲５▼はクッション▲１▼から▲２▼への空気の流れを止め、ストップ弁▲１４▼はクッション▲２▼から▲１▼への空気の流れを止める。▲２５▼▲２６▼は外部空気の注入排出孔である。
【０００５】
【発明の実施の形態】
以下、本発明の実施例について図１．シート平面図及び図２．矢視Ａ−Ａで説明する。
（イ）クッション▲１▼には▲３▼及び▲２４▼、クッション▲２▼には▲８▼及び▲１３▼の空気流通孔を設ける。更にクッション▲１▼には空気注入排出孔▲２５▼、クッション▲２▼には空気注入排出孔▲２６▼を設ける。
（ロ）クッション▲１▼と▲２▼は接続パイプ▲２０▼及び▲２１▼で接続する。接続パイプはクッション▲１▼と▲２▼に臀部が丁度乗る長さとする。接続パイプ▲２０▼には空気流通孔▲６▼、接続パイプ▲２１▼には空気流通孔▲２２▼を設ける。
（ハ）空気流通孔▲６▼には逆止弁▲７▼、空気流通孔▲２２▼には逆止弁▲２３▼を設ける。更にノズル▲４▼にはストップ弁▲５▼、ノズル▲１４▼にはストップ弁▲１５▼を設ける。
（ニ）ストップ弁▲５▼は他端が接続パイプの管壁を貫通して伸縮チャンバー▲９▼の底面に固定する。ストップ弁▲１５▼は他端が接続パイプの管壁を貫通して伸縮チャンバー▲１６▼の底面に固定する。
（ホ）ストッパー▲１０▼は片端を固定バー▲１１▼に回転可能に取り付け、もう一端は押さえ棒▲１２▼に着脱可能な構造となっている。
ストッパー▲１７▼は片端を固定バー▲１８▼に回転可能に取り付け、もう一端は押さえ棒▲１９▼に着脱可能な構造となっている。
本発明は以上の様な構造で、これを使用する時は、ストッパー▲１０▼及び▲１７▼を押さえ棒▲１２▼及び▲１９▼から脱着してストップ弁▲５▼及び▲１５▼を開けノズル▲４▼及び▲１５▼を解放して、空気注入孔▲２５▼又は▲２６▼より空気を注入し、クッション▲１▼及び▲２▼を適度に膨らませる。
クッション▲１▼及び▲２▼に臀部を合わせて座り、疲労により、お尻が痛くなった時ストップ弁▲５▼を開けたまま、ストッパー▲１７▼を押さえ棒▲１９▼に装着し、ノズル▲１４▼を閉じる。
クッション▲１▼に載せたお尻に体重を掛けては、クッション▲２▼側に体重を戻す動作を繰り返す事により、クッション▲１▼の空気はクッション▲２▼に移動する。その結果、右クッション▲１▼の厚さは左クッションの厚さより薄くなる。そこで、クッション▲２▼側に体重を移し気味に座る事によって、右側のお尻が受ける体重が小さくなり、血行が良くなり、右側のお尻の疲労が快復する。次に左側のお尻の疲労を回復するには、これと逆にクッション▲２▼からクッション▲１▼に空気を移動する事によってクッション▲２▼の厚さをクッション▲１▼より薄くすることによって行う。
【０００６】
【発明の効果】
これには次の様な効果がある。
（イ）クッションに長時間座っても、お尻の血行不良が発生しにくく、お尻が痛くならない。
（ロ）お尻が痛くならないことから、身体の疲労も少ない。
【図面の簡単な説明】
【図１】本発明の平面図である。
【図２】本発明の側面図である。
【符号の説明】
▲１▼、▲２▼　クッション
▲３▼　　　空気流通孔
▲４▼　　　ノズル
▲５▼　　　ストップ弁
▲６▼　　　空気流通孔
▲７▼　　　逆止弁
▲８▼　　　空気流通孔
▲９▼　　　伸縮チャンバー
▲１０▼　　　ストッパー
▲１１▼　　　固定バー
▲１２▼　　　押さえ棒
▲１３▼　　　空気流通孔
▲１４▼　　　ノズル
▲１５▼　　　ストップ弁
▲１６▼　　　伸縮チャンバー
▲１７▼　　　ストッパー
▲１８▼　　　固定バー
▲１９▼　　　押さえ棒
▲２０▼　　　接続パイプ
▲２１▼　　　接続パイプ
▲２２▼　　　空気流通孔
▲２３▼　　　逆止弁
▲２４▼　　　空気流通孔
▲２５▼　　　空気注入排出孔
▲２６▼　　　空気注入排出孔
【図１】
2004008774.tif 000003
【図２】
2004008774.tif 000004
(57)【要約】　　　（修正有）【課題】模型ジェット機はガソリンエンジンか電動機を動力としていたため高価で、推進力が大きく公園等で飛行させるには危険で、飛行させるには習熟した技術が必要であった。また、ゴム動力模型飛行機はプロペラが有り、外見上ジェット機の形態にそぐわなかった。これらの欠点を除き、簡単な構造でより安全且つ簡単に飛行させることができるゴム動力による模型ジェット機等模型航空機を提供する。【解決手段】動力用ゴム５と直径が機体長の２０％以下のファン９とファンの回転数をゴム回転シャフトの回転数の５倍以上にする歯車機構７とを備え、小径ファンを高速回転させることで推進力を発生させて飛行させる。【選択図】図１
2004008771.tif 000002
【特許請求の範囲】
【請求項１】
動力用ゴムと直径が機体長の２０％以下のファンとファンの回転数をゴム回転シャフトの回転数の５倍以上にする歯車機構とを有することを特徴とするゴム動力模型航空機。
【発明の詳細な説明】
【０００１】
【発明の属する技術分野】
ゴム動力によって飛行する模型航空機の構造に関するものである。
【０００２】
【従来の技術】
従来のゴム動力による模型航空機はプロペラを有し、ジェット機のようなプロペラが無い模型航空機は無かった。また小径ファン（通常ダクテッドファンと呼ばれている）を推進器として使用した模型航空機は存在するが、動力に大きな出力を必要とするためガソリンエンジンか電動機を動力源にするもので、ゴム動力による模型ジェット機は無かった。
【０００３】
【発明が解決しようとする課題】
従来の模型ジェット機はガソリンエンジンか電動機を動力としているため高価であり、また推進力が大きく公園等で飛行させるには危険であった。更にこれらの模型航空機を飛行させるには習熟した技術が必要で年少者が遊ぶには難しい等の欠点があった。また、従来のゴム動力模型飛行機はプロペラが有り、外見上ジェット機の形態にそぐわないという欠点が有った。
本発明はこれらの欠点を除き、簡単な構造でより安全且つ簡単に飛行させることができる新規なゴム動力による模型ジェット機等模型航空機を提供するものである。
【０００４】
【課題を解決するための手段】
動力用ゴムと直径が機体長の２０％以下のファンとファンの回転数をゴム回転シャフトの回転数の５倍以上にする歯車機構とを備え、ファンを高速回転させることによりゴム動力で推進力を発生させる手段を有することを特徴とする。
【０００５】
【発明の実施の形態】
図面により実施例を説明する。
図１は発明の実施例を説明する図。図２は動力伝達機構を説明する図である。図１で、１は模型航空機の骨格となる主柱、２は主翼、３は垂直尾翼、４は水平尾翼、５は動力ゴム、６は駆動シャフト、７は歯車箱、８はファンシャフト、９はファン、１０はダクト、である。
捲かれた動力ゴム５は駆動シャフト６を回転させ、歯車箱７に収容された歯車によってその回転数は５倍以上に高速化されファンシャフト８を回転させる。ファンシャフト８に連結されたファン９は駆動シャフト６の回転に比べ高速で回転し、その回転によって空気を後方（図１では右方）に出力する。ファン９はダクト１０と僅かな間隙（例えば０．１ミリメートルから１ミリメートル）を有し、ファン９で発生させた空気流を整流させ推進力を発生する。この推進力で模型航空機は飛行する。
次に図２により歯車箱の内部と動力伝達方法について説明する。
５は動力ゴム、６は駆動シャフト、８はファンシャフト、９はファン、１１はビーズ、１２は駆動スリーブ、１３は歯車Ａ、１４は歯車Ｂ、１５は歯車Ｃ、１６は歯車Ｄである。説明図を分かりやすくするため歯車箱７の外形および主柱１は省略してある。
捲かれた動力ゴム５の解放により駆動シャフト６は回転させられる。駆動シャフト６は駆動スリーブ１２と結合しゴム側へ強く引っ張られるがビーズ１１を介して主柱１（図１参照）に支えられる。つまり軸方向の力を支えるスラスト軸受けを構成している。駆動スリーブ１２に結合された歯車Ａ１３は駆動スリーブと共に回転し歯車Ｂ１４を回転させ、歯車Ｂ１４に結合された歯車Ｃ１５を回転させる。歯車Ｃ１５は歯車Ｄ１６を回転させ、歯車Ｄに結合されたファンシャフト８を回転させる。ファンシャフト８はファン９に結合され、ファン９は駆動シャフト６の回転数に対し歯車比で設定された回転速度比で回転し、図中右方に空気流を発生し、推進力を発生する。
歯車比は動力ゴムの強さ、ファン形状、回転持続時間のトレードオフで決まる。
図面では歯車Ａ１３〜歯車Ｄ１６の平歯車４個３軸で説明したが、これは他の方法、例えば歯車数、歯車軸数、歯車種類を変えて（例えば遊星歯車）も本発明の目的は達成できる。またスラスト軸受けにビーズを用いて説明したが他の方法、例えばベアリング、合成樹脂板等を用いても達成可能である。図面では胴体外形を省略したが、ファンが機体内に収容可能なので、空気取り入れ口を設けた胴体構造を付加し、より一層本物に近い外見にすることも可能である。また逆に、ダクト１０が無くても推進力を得ることができるので、構造簡素化のためダクト１０を省いてもファン径が機体長に比べ小径のため、模型ジェット機として実現できる。
【０００６】
【発明の効果】
以上説明したように、ゴム動力により簡単な構成で安全且つ操作の簡単な模型ジェット機等模型航空機を提供できる。
【図面の簡単な説明】
【図１】本発明の斜視図である。
【図２】本発明の動力伝達方法を説明する図である。
【符号の説明】
１　主柱　　　　　　２　主翼　　　　　　　　　　３　垂直尾翼
４　水平尾翼　　　　５　動力ゴム　　　　　　　　６　駆動シャフト
７　歯車箱　　　　　８　ファンシャフト　　　　　９　ファン
１０　ダクト　　　　１１　ビーズ　　　　　　　　１２　駆動スリーブ
１３　歯車Ａ　　　　１４　歯車Ｂ　　　　　　　　１５　歯車Ｃ
１６　歯車Ｄ
【図１】
2004008771.tif 000003
【図２】
2004008771.tif 000004
(57)【要約】【課題】サウナ風呂をベッド式にして、身近な場所で衛生的に楽しめ、しかも種々の味わいが出来るベッド式サウナ風呂を提供する。【解決手段】米糠などを入れた袋で体を包む様に覆い、更に袋が身体に密着する様に、外周を弾性と柔軟性を持たせたヒーターで覆うようにした。【選択図】　　　図１
2004008775.tif 000002
【特許請求の範囲】
【請求項１】
横臥した体を米糠を入れた袋で覆い、更に前記米糠を入れた袋を温める為に外周にヒーターを設けたベッド式サウナ風呂
【請求項２】
弾性材や柔軟性材で構成した前記ヒーターを用いたベッド式サウナ風呂
【発明の詳細な説明】
【０００１】
【発明の属する技術分野】
この発明は、米糠等を温めて皮膚に米糠等から醸し出される香りや養分を肌に触れさせながら、体を温めることに関するものであります。
【０００２】
【従来の技術】
従来、砂風呂で体を温めることは、温泉地などで希に行なわれていました。
【０００３】
【発明が解決しようとする課題】
本発明は砂風呂にバラエティーさを持たせ、又衛生面に対処を計って袋の取替えやヒーター部の洗浄を容易にし、なおかつ身近な場所で砂風呂を楽しむ様にしたものであります。
【０００４】
【課題を解決するための手段】
本発明は、米糠等を詰めた袋で体を覆い、更に体を覆った袋を外側から温水を通したビニールパイプなどで構成した弾性や柔軟性を持たせたヒーターで温めるベッド式サウナ風呂です。
【０００５】
【発明の実施の形態】
以下、本発明の実施の形態を説明します。
（イ）横臥した体の上下や体側に米糠等を入れた取替を容易にする為の独立した　　　　　袋を設置します。
（ロ）米糠等を入れた袋の外側に温水を通したビニールパイプなどを用い、洗浄もしやすく、柔軟性を持たせたヒーターを設置します。
【０００６】
【発明の効果】
本発明は、身近でサウナ風呂を楽しむ事が出来て、しかも体を覆う袋の中身を米糠や薬草又ハーブなどに変えることによりバラエティーに富んだ所謂砂風呂風なサウナ風呂を楽しむ事ができる、又別途用意した小袋を本発明のベット式サウナ風呂で温めた上で、首や顔に触れさせることで沐浴的効果がより高められます。
【図面の簡単な説明】
【図１】本発明の斜視図
【符号の説明】
１　　身体
２　　上側、下側ヒター
３　　上側、下側体位用袋
４　　上側、下側袋
【図１】
2004008775.tif 000003
(57)【要約】【課題】立坑昇降時装着使用する墜落防止装置（６）が昇降時障害となったり、回転フック（８）の収納時も昇降階段（１１）や昇降サークル（７）へ衝突、途中引っ掛かり昇降サークル（７）が外れる危険があった。又、単管支柱が振動により不安定になったり重機で引っ掛けたりした。【解決手段】支柱（４）を折曲し吊持位置を昇降サークル（７）中心のより高い位置に定着でき、固定ベース（２）で支柱（４）を回動自在に軸支可能となり、昇降口の左右どちらにも固定ベース（２）を係止出来る事を特徴とする。【選択図】　図１
2004008776.tif 000002
【特許請求の範囲】
【請求項１】
ライナープレート（１）へ固定ベース（２）を上下方向着脱自在にライナープレート組立ボルト孔（３）へ係止し、固定ベース（２）に支柱（４）が回動自在に軸支し、固定ピン（５）の挿通により位置決めの固定が可能である。支柱（４）の端面に墜落防止装置（６）を吊持し、ライナープレート（１）の内側の昇降サークル（７）内上部へ定着できる墜落防止装置の専用吊り治具。
【発明の詳細な説明】
【０００１】
【発明の属する技術分野】この発明は、立坑昇降時における墜落災害を防止する装置を障害とならない位置に吊持するための設備に関する。
【０００２】
【従来の技術】従来の墜落防止装置は昇降用の手摺りに定着させたり、ライナープレート（１）の外面へ単管にて門形に組立て吊持場を設け定着させていた。坑内へ入坑する際は、墜落防止装置（６）の回転フック（８）を引き作業者が身に付けている安全帯（９）と接合させ、万一昇降時に足を踏み外しても墜落防止装置（６）のワイヤーがロックされ下まで落下しないよう予防していた。
【０００３】
【発明が解決しようとする課題】しかしながら以上の従来技術によれば、墜落防止装置（６）が昇降用手摺（１０）に定着してあるため位置が低く、昇降時に肩やヘルメットにぶつかる障害や、墜落防止装置（６）の定着位置が昇降サークル（７）の外側に位置しているため、降下後の回転フック収納時に回転フック（８）が昇降階段（１１）や昇降サークル（７）に衝突したり、途中引っ掛かり昇降サークル（７）が外れる障害があった。又、周辺重機の振動により地山が緩み単管支柱が不安定になってしまったり、ライナープレートの外面へ突設しているため重機で引っ掛ける不都合があった。
そこでこの発明は、墜落防止装置（６）を昇降サークル（７）内の中心上部へ定着可能とする事により、昇降時における障害を回避し、降下後の回転フック（８）収納時も昇降階段（１１）や昇降サークル（７）への衝突や引っ掛かりを防ぐ事が出来る。又、固定ベース（２）から支柱（４）は簡単に着脱可能なため、昇降作業の必要のない時は取外しが容易に出来る設備を提供する事を課題とする。
【０００４】
【課題を解決するための手段】以上の課題を解決するために、請求項１の発明は、支柱（４）を折曲し吊持位置を昇降サークル（７）の中心のより高い位置に定着でき、固定ベース（２）で支柱（４）を回動自在に軸支可能とし、昇降口の左右どちらにも固定ベース（２）を係止出来る特徴をもつ墜落防止装置の専用吊り治具である。
【０００５】
【発明の実施の形態】以下、本案の実施の形態について説明する。
（イ）　ライナープレート（１）へ固定ベース（２）を上下方向着脱自在に係止する。
（ロ）　ライナープレート組立ボルト孔（３）と固定ベースボルト孔（１２）を組立ボルトにて係止するが、ライナープレート（１）と固定ベース（２）は歯合されている。
（ハ）　固定ベース（２）で支柱（４）を回動自在に軸支する。
（ニ）　挿通孔（１３）と、位置決め部材（１４）を係合させ固定ピン（５）を挿通し固定する。
（ホ）　挿通孔（１３）は左右両側へ設けてあるため、固定ベース（２）は昇降口の左右どちらへ係止しても可能となる。
（ヘ）　支柱（４）の端面に墜落防止装置（６）を吊持し、ライナープレート（１）の内側の昇降サークル（７）内中心上部へ定着する。
【０００６】
【発明の効果】墜落防止装置の専用吊り治具の発明によれば、次の効果が得られる。
１．墜落防止装置（６）を昇降サークル（７）内中心上部に定着可能となり、
昇降時に肩やヘルメットにぶつかる障害が回避できる。
２．昇降階段降下後の回転フック収納時、回転フック（８）が昇降階段（１１）や昇降サークル（７）に衝突したり、途中の引っ掛かりや昇降サークル（７）が外れる障害を防ぐ事ができる。
３．回転フック（８）の衝突が無くなり、回転フック（８）、昇降階段（１１）、昇降サークル（７）の機具損傷防止となる。
４．固定ベース（２）と支柱（４）は簡単に着脱可能なため、昇降作業の必要の無い時は取外しが容易に出来、重機による引っ掛け損傷の防止となる。
【図面の簡単な説明】
【図１】本発明の実施例を示す斜視図である。
【図２】本発明の固定ベースの斜視図である。
【図３】本発明に墜落防止装置を吊持した斜視図である。
【図４】本発明の固定ベースを係止、支柱を固定した斜視図である。
【図５】本発明の側面図である。
【図６】本発明の正面図である。
【図７】本発明の固定ベースの上面図である。
【符号の説明】
１ライナープレート　２固定ベース　３ライナープレート組立ボルト孔
４支柱　５固定ピン　６墜落防止装置　７昇降サークル
８回転フック　９安全帯　１０昇降用手摺　１１昇降階段
１２固定ベースボルト孔　１３挿通孔　１４位置決め部材
【図１】
2004008776.tif 000003
【図２】
2004008776.tif 000004
【図３】
2004008776.tif 000005
【図４】
2004008776.tif 000006
【図５】
2004008776.tif 000007
【図６】
2004008776.tif 000008
【図７】
2004008776.tif 000009
(57)【要約】【課題】従来の絨毯は、織機の縦糸に１本づつ横糸を結ぶことのみから成り、輪の形をした輪奈とビロードのような毛羽とこの２つの方法により作成される。前期の織機又材料と場所を要し、時間がかかる。従って絨毯を織るのに一人１日３ｃｍ（段数）完成は１年〜２年を要し、更に高度な技術を加えて３年〜５年を要する。【解決手段】帯状に裁たれている既成の布地を長方形の長手方向に近傍に沿ってミシンで縫い折り目からミシン目までの筒状部を形成し、それを基盤として、残部の二重部の横糸を抜き縦糸のみの帯状布地の作成方法。前記方法より作られる帯状布地を丸くまるめて１つのユニットとし、複数個縫い合わせることで先端部が縦糸のみとなる絨毯。【選択図】　　　　図１
2004008780.tif 000002
【特許請求の範囲】
【請求項１】
帯状に裁たれている既成の布地を、その長方形の長手方向で二つ折りにし、その折り目の近傍に沿ってミシンで縫い、折り目からミシン目までの筒状部を形成し、この筒状部を基盤として、残部の二重部の横糸を抜き、縦糸のみの帯状布地の作成方法
【請求項２】
前記方法により作られる帯状布地を丸くまるめて１つのユニットとし、このユニットを複数個縫い合わせることで先端部が縦糸のみの布地となる絨毯。
【発明の詳細な説明】
【０００１】
【特許の属する技術の分野】
手縫い絨毯及び作成方法とその作成方法に関するものである。
【０００２】
【従来の技術】
従来の絨毯は、織機の縦糸に１本づつ横糸を結ぶことのみから成り、輪の形をした輪奈とビロードのような毛羽とこの２つの方法により作成されている。前記の織機又材料と場所を要し、更に時間がかかる。従って絨毯を織るのに一人１日３ｃｍ（段数）完成は１年〜２年を要し、更に高度な技術を加えて３年〜５年を要する。
【０００３】
【発明が解決しようとする課題】
本発明は、上述した事情に鑑み問題点を解決すべく成されたもので、前記の織機、材料に高価を用度とすることなく手間をかけず、時間の短縮、経済的に負担もなく手軽に作成されることを提供し、本課題を解決するものである。
【０００４】
【課題を解決するための手段】
帯状に裁たれている既成の布地を長方形の長手方向に近傍に沿ってミシンで縫い折り目からミシンまで筒状部を形成し、それを基盤として残部の二重部の横糸を抜き縦糸のみの帯状布地の作成方法であり、前記の縦糸のみの帯状布地を丸くまるめて１つのユニットとして複数個縫い合わせることで先端部縦糸のみ絨毯となる。
【０００５】
【発明の実施の形態】
以下、本発明の実施の形態について図面を参照しながら説明する。図１は、ユニットの作成工程図であり１〜８の工程で成る。１は、既成の布地を長方形の帯状Ａに裁つ。２は、Ａの帯状布地を長方形の長手方向に沿って中心部で２つ折して両端部のＢとＢ′を揃えて二重にする。３は、二重になった帯状布地の折り目Ｂの近傍に於いて、長手方向にミシンで縫い合わせ筒状Ｃを作る。４は、残部の固定されていない先端部ＢＢ′より前記ミシンの縫い目Ｄまでの布地横糸を抜く。５はミシンの縫い目Ｄより先端部ＢＢ′までの布地の横糸を抜いて縦糸Ｅのみの帯状布地となる。６は、帯状布地を丸める。７は、丸めて出来た帯状布地Ｂの筒状部Ｃを縫い針Ｇで放射線状Ｆに縫い綴じる。８は、前記工程１〜７により形成される１つのユニットＨの形状になる。
【０００６】
本発明の作成工程１〜５までの帯状布地を折りたたんで作ることの出来る前記のユニットＨとは異なる三角、四角、ひし形、長方形等の色々な形を作り変える事が出来る。
【０００７】
具体的には、本発明に関わる既成の布地は、横糸が抜け易い布地を必要とする。従って使われる布地は、折り目が粗く横糸が簡単に抜け易い毛羽（ウール、ツィード地）等の毛織物は暖かい冬用絨毯に適し、リビング絨毯、玄関マット、座布団等に最適である。又、厚地の綿の平織り布地は、汗や水分を吸収してくれるので、キッチンやバス、トイレ用マットに最適である。
【０００８】
本発明の手縫い絨毯を色彩良くする為に使われる既成布地の平面の色と柄は、色彩として成り立たない。本発明の作成方法図１の作成工程１〜５で作成されたＥの帯状布地の先端部のみ色彩となって絨毯の表面に表れる。従って、既成布地の縦、横の絨毯の色を確かめた上で、使用する布地を選択する。
【０００９】
【発明の効果】
本発明の手縫い絨毯及び作成方法は、以上説明したように構成されているので、下記に記載されるような効果を表す。
【００１０】
手縫い絨毯は、既成布地のみを使用することで成り、リサイクルも可能とし作成時間の短縮と経済効果のある作成方法である。
【００１１】
手縫い絨毯は、作成方法の応用を可能とし、色彩をアレンジすることで、多彩なコントラストの幾何学模様となるオリジナルが作成され、リビング絨毯、マット類、座布団類、タペストリー等が生活必需品のインテリアとして、手軽に手芸として、楽しみながら作成出来る。
【００１２】
手縫い絨毯は、世界各国の手芸技術の分野に於いて交流を広げ、我が国の文化発展に一役を担うことと確信する。
【図面の簡単な説明】
本発明の１つの実施例を示す作成工程図
【符号の説明】
Ａ　　　長方形に裁った既成の布地
ＢＢ′　両端の布端
Ｃ　　　筒状
Ｄ　　　ミシン目
Ｅ　　　縦糸のみの帯状布地
Ｆ　　　放射線状
Ｇ　　　縫い針
Ｈ　　　ユニット（工程１〜７で形成なる）
【図１】
2004008780.tif 000003
(57)【要約】【課題】バトミントンは、羽根を地面に落とすことが多く、その度に腰をかがめ拾わなくてはならず、負担が増大し、楽しさも半減していしまう。本発明はこのような課題を解決するものである。【解決手段】この課題を解決するために、本発明はバトミントンの羽根を、ラケットに引っ掛かるツメのついた形状とする。【選択図】　図１
2004008756.tif 000002
【特許請求の範囲】
【請求項１】
バトミントンの羽根を、ラケットに引っ掛かける為のツメの利用方法
【請求項２】
バトミントンの羽根に取り付けることのできる、ラケットに引っ掛かける為のツメ
【請求項３】
ラケットに引っ掛かるツメのついた、バトミントンの羽根
【発明の詳細な説明】
【０００１】
【発明の属する技術分野】この発明は、かがまなくても拾うことのできるバトミントンの羽根に関するものである。
【０００２】
【従来の技術】従来のバトミントンの羽根は、かがまなければ拾えないものであり、羽根を拾う回数が増えれば、負担が増大し、楽しさも半減してしまうものである。
【０００３】
【発明が解決しようとする課題】バトミントンは広い場所を必要とせず、また少人数で楽しめるなど手頃なスポーツである。しかし、羽根を地面に落とすことが多く、その度に腰をかがめ拾わなくてはならず、負担が増大する。特に初心者にはその傾向が著しく、楽しさも半減していしまう。本発明はこのような課題を解決するものである。
【０００４】
【課題を解決するための手段】この課題を解決するために、本発明はバトミントンの羽根を、ラケットに引っ掛かるツメのついた形状とする。
【０００５】
【発明の実施の形態】
【０００６】
【実施例】羽根につくツメは、外側を向いており、横に広い形状である。これはラケットのガットに引っかからなくする為である。横に広いが、ツメの真中は中空である。これは重さを軽くし、羽根のバランスを崩さない為と、空気抵抗の影響を少なくする為である。つける個所は３箇所である。これは重さと三角形の形状で、ツメ２つが下側になり、ツメの１つが必ず真上を向く為である。このため、いちいちツメの位置を確認する必要がない。
【０００７】また、ツメの取り付け位置は羽根のどの部分ででもよい
【０００８】また、ツメの数はいくつでもよい
【０００９】また、ツメの形状は板状でもよい
【００１０】また、ツメと羽根は一体型ではなく、取り付ける形でもよい
【００１１】
【発明の効果】本発明により、地面に落ちた羽根をラケットの先端にひっかけて、空中に放り投げ、打ちかえすことが可能になる。そのために、かがんで羽根を拾う動作が省略でき、負担を軽減させ、ゲーム本来の面白みを半減させず、楽しむことができる。
【図面の簡単な説明】
【図１】本発明の正面図
【符号の説明】
１　重り
２　羽根本体
３　ツメ
４　重りと羽根本体の接合部
【図１】
2004008756.tif 000003
(57)【要約】【課題】ベッドを安全に使用するために、ボトム支持装置を設けてボトムの落下防止を提供する。【解決手段】ボトム（２）に側板（７）を設けて、サイドレール（３）に外側から挟み込むように載せることを特徴とする。【選択図】　　　図３
2004008759.tif 000002
【特許請求の範囲】
【請求項１】
ボトム（２）の両側に側板（７）を設け下方にサイドレール（３）を設け両サイドに柵（４）を設けたベッドのボトム支持装置。
【発明の詳細な説明】
【０００１】
【発明の属する技術分野】
本発明は、木製ベッドのボトム落下を防ぐためのボトム支持装置に関するものです。
【０００２】
【従来の技術】
従来品においてはサイドレールの側面にボトム受桟を設けてボトムを支えて、布団やマットレスを載せていた。ボトム受け桟はねじやボルト、接着剤により接合されていた。したがってサイドレールの強度に関係なくボトム受け桟の接接合状態が確かでなければボトムを支えられなくなる。また、サイドレールが反ったりして開くとボトムがズレ落ちる。従来品はサイドレールが開かないようにワイヤーを渡し開き防止をしている。
【０００３】
【発明が解決しようとする課題】
従来、ベッドのボトムを支えるにあってはサイドレールにボトム受け桟が必要となる。ボトムやすのこ床板を支えその上に人が寝るので、サイドレールに取り付けるボトム受け桟は丈夫なものでなければならない。しかしボトム受け桟が丈夫であったとしてもボトム受け桟がサイドレールから剥がれてしまえば支えることはできない。もともとサイドレールとボトム受け桟は別々であり後から一体として構成される。そのためサイドレールとボトム受け桟が剥がれる可能性は常にあることになる。そうならないようにするため、ボトム受け桟をサイドレールに取り付けるときは細心の注意が必要になる。細心の注意とは使う材の性質や接着剤や金具などの強度を把握する必要がある。接着剤や取り付ける金具などの強度が不十分あればボトム受け桟は落下し、使用者に甚大な被害がでる。工員によるヒューマンエラーも見逃さない管理が必要となる。ボトム受け桟が剥がれないとしてもボトムが落下する場合がある。それはサイドレールが外側に膨らんで反りボトムがズレ落ちる場合である。従来品はワイヤーなどを渡しズレ落ちることを防いでいる。しかしワイヤーを取り付けなければ意味をなさない。以上のような不安要素が従来品のベッドにはありベッドを使用する時ボトムが落ちるという危険がある。本発明はこれらの欠点を解決するために発明されたものである。
【０００４】
【課題を解決するための手段】
ボトム（２）の両側に側板（７）を設ける。ボトム（２）下方にサイドレール（３）を設け載せる。そして、サイドレール（３）の両サイドに柵（４）を設け支柱（１）と連結する。
本発明は、以上の構成よりなる。
【０００５】
【発明の実施の形態】
本発明の木製ベッドのボトム支持装置では、サイドレールの上にボトムやすのこ床板を載せるのでボトム受け桟は必要なくなる。従来のようにボトム受け桟をサイドレール取付ける必要がなく、ボトム受け桟が無い状態で実施する。ボトムの両サイドに側板を設けサイドレールにボトムを載せた時、サイドフレームを外側から挟み込むようにする。外側から挟み込み込むことでズレ落ちをを防ぐ。従来品にあるようなサイドフレーム開き防止のワイヤーが不要となる。サイドレールと柵の両端に支柱と連結する金具を取付け、支柱と連結し固定する。サイドレールと柵でボトムの側板を挟み込む。従来上下で連結していたサイドレールと柵を独立させて支柱と固定する。本発明ではボトム受け桟と開き防止のワイヤーが必要無くなる。
【０００６】
【実施例】
実施例について図面を参照して説明すると、図１において、ベッドの枠を構成している支柱（１）にサイドレール（３）と柵（４）を連結し固定させる。図１は本発明の使用状態の側面図で、木製棚付２段ベッドに使用したものである。
【０００７】
図２は本発明実施例を平面から示したものである。サイドレール（３）を支柱（１）と連結し固定する。同様に柵（４）も支柱（１）に連結させる。柵（４）はサイドレール（３）の外側に設ける。
【０００８】
図３は本発明の実施例の断面図である。支柱（１）に連結されているサイドレール（３）にボトム（２）を載せる。ボトム（２）の両サイドに側板（７）を設けサイドレール（３）を外側から挟み込むように設置する。柵（４）は側板（７）を外側から挟み込むように支柱（１）に連結し固定。
【０００９】
図４は従来品の実施例を示す断面図である。ボトム（２）はボトム受け桟（６）の上に載せて使用する。ワイヤー（５）は床受け桟（６）を渡すように取付けてある。
【発明の効果】
本発明は、以上説明したような形態で実施され、以下に記載されるような効果を奏する。
【００１０】
本発明を使用することで、従来品の不安要素払拭が可能となる。本発明は構構造に機能を組み込むことで、従来品の機能を残しパーツを減らす技術である。従来品はサイドレールに床受け桟を取り付ける時に多くの不安要素を用している。機能はボトムが落ちないようにすることであり、ボトム受け桟がなければボトムを載せることは出来ない。しかし本発明ではサイドレールの機能をもたせている。また、従来品にあるサイドフレームと柵の分離、布団や人の落下を防ぐ柵の機能も失われていない。そして、サイドレールをボトムで挟み込むことで開き止めワイヤーを無くすことを可能とした。
【図面の簡単な説明】
【図１】本発明の使用状態を示す側面図
【図２】本発明の使用状態を示す平面図
【図３】本発明の使用状態を示す断面図
【図４】従来品の使用状態を示す断面図
【符号の説明】
１　支柱
２　ボトム
３　サイドレール
４　柵
５　ワイヤー
６　ボトム受け桟
７　側板
【図１】
2004008759.tif 000003
【図２】
2004008759.tif 000004
【図３】
2004008759.tif 000005
【図４】
2004008759.tif 000006
(57)【要約】【課題】従来使われている将棋盤は平面である。又将棋の駒も平面上に難しい漢字が書かれているため、小さい子どもには馴染みにくいところがあるので分かり安く楽しい将棋を提供するものである。【解決手段】将棋盤上を山あり、丘ありに立体形成し、駒も歩、香、桂、銀、金、角、飛、王、と兵隊等に立体形成しそれぞれの駒の動を駒に付ける。【選択図】　図１
2004008760.tif 000002
【特許請求の範囲】
【請求項１】
将棋の盤上を山、丘、平野、川、等に立体形成したことを特徴とする将棋盤。
【請求項２】
将棋の駒を、歩、香、桂、銀、金、角、飛、王、とそれぞれの形に立体形成したことを特徴とする将棋の駒。
【発明の詳細な説明】
【０００１】
【発明の属する技術分野】
本発明は、将棋の盤及び駒の立体形成に関する。
【０００２】
【従来の技術】
従来の将棋盤および駒は平面的で立体感がない。
【０００３】
【発明が解決しようとする課題】
従来使われている将棋盤は平面である。又将棋の駒も平面上にそれぞれ難しい漢字が書かれているため、小さい子どもには馴染みにくいところがある。又総体的に平面であり、一連の動が分かりずらくおもしろ味が少ないように思われる。
【０００４】
【課題を解決するための手段】
将棋盤上に山あり、丘あり、平野あり、川あり、等に立体形成する。又将棋の駒は、歩、香、桂、銀、金、角、飛、王、とそれぞれ立体形成し各駒の動きの印しを付け、将棋を知らない子どもでも容易に楽しめるようにしたものである。
【０００５】
【発明の実施形態】
本発明は、将棋盤上を立体形成し、又駒も立体形成したものである。
【０００６】
将棋盤上に凹凸をもうけ、９ｘ９＝８１の仕切り面を平にし、駒を置けるようにする。
【０００７】
将棋盤上を曲面凹凸に形成し、針の刺さる材質にし、いっぽう駒の底面に針をもうけ、駒を盤上に脱着自在する。
【０００８】
将棋盤上８１の仕切り面に磁石が付くよう鉄板を設ける。又駒の底面に磁石を取り付け脱着自在にする。又磁石と鉄板の取り付けを反対にしても効果は同じである。
【０００９】
将棋盤上を平にし立体形成した駒を置くようにする。
【００１０】
将棋盤上の８１の仕切り面に各穴をもうけ、いっぽう駒の底面に穴に嵌合する突起を設け安定させる。
【００１１】
将棋の駒を敵、味方、それぞれ違う形に形成する。
【００１２】
ゲーム中敵の駒を取り、味方として使用する場合、味方の印しを付ける。例えば、帽子、旗、メダル、輪、又は駒の一部を動かし印を出す。
【００１３】
将棋の駒にそれぞれに、歩、香、桂、銀、金、角、飛、王、の字を設ける。
【００１４】
ケーム中味方の駒が敵の陣地に入った場合、又敵陣に置き動いた場合、金に成りたい時には印を付ける。例えば金と書いた字を付ける、帽子、旗、メダル、輪又は駒の一部を動かし印をだす。
【００１５】
ゲームのルールは従来の将棋と同じ出ある。
【００１６】
将棋盤面を、敵、味方、の陣地を色分けする。
【００１７】
将棋盤上の敵陣と味方陣、とも各端より３線までを色分する。又３線めを太線にする。
【００１８】
将棋盤上の敵陣、味方陣、に端より３線目に取り外し出来る柵（８）を設ける
【００１９】
将棋の駒を、敵、味方に関係なく、歩は歩の形に１８個、香は４個、桂は４個銀は４個、金は４個、角は２個、飛は２個、王は２個とそれぞれ形成する。
【００２０】
将棋盤上の８１の仕切り部にそれぞれ自由に、多角箱形部品を置き、将棋盤上に凹凸を形造るようにする。
【００２１】
多角箱形部品の角面に自由に、磁石又は鉄板を付けそれぞれを安定さす。
【００２２】
【発明の効果】
将棋盤上及び駒を立体化することでより臨床感のあるゲームが楽しめる。
【図面の簡単な説明】
【図１】本発明の斜視図である。
【図２】本発明の斜視図である。
【図３】本発明の斜視図である。
【図４】本発明の斜視図である。
【図５】本発明の斜視図である。
【図６】本発明の斜視図である。
【符号の説明】
１　　　将棋盤
２　　　将棋盤上
３　　　多角箱形部品
４　　　立体将棋の駒
５　　　磁石
６　　　鉄板
７　　　嵌合う穴
８　　　柵
９　　　印
【図１】
2004008760.tif 000003
【図２】
2004008760.tif 000004
【図３】
2004008760.tif 000005
【図４】
2004008760.tif 000006
【図５】
2004008760.tif 000007
【図６】
2004008760.tif 000008
(57)【要約】【課題】衝撃から傷患部を保護し、その苦痛を和らげる。【解決手段】表面のばんそこうテープと、傷患部に接する布パッドの間に衝撃保護のためのボードを入れる。【選択図】　図１
2004008753.tif 000002
【特許請求の範囲】
【請求項１】
ばんそこうテープ（１）と、布パッド（３）の間に衝撃保護のためのボード（２）を入れたばんそこう傷テープで、そのボードには柔軟性を高めるため数ヵ所切れ込みが有り、通気性を保つための微細な穴を多数開けている。以上の構成からなる衝撃保護ばんそこう傷テープ。
【発明の詳細な説明】
【０００１】
【発明の属する技術分野】
本発明は、医療、簡易治療におけるばんそこう傷テープに関する。
【０００２】
【従来の技術】
従来のばんそこう傷テープにおいては、傷患部に密着し保護していた。
【０００３】
【発明が解決しようとする課題】
従来のばんそこう傷テープは、柔らか過ぎて衝撃に対しては無防備で有り、その衝撃痛は耐え難いものがあった。
【０００４】
【課題を解決するための手段】
本発明は衝撃から守るため表面のばんそこうテープと、傷患部に接する布パッドの間に紙ないし樹脂などからなるボードを入れ衝撃痛を防止する。
【０００５】
そのボードは、柔軟性を高めるため部分的に数ヵ所切れ込みが有り、通気性を保つため微細な穴を多数開けた。
【０００６】
【発明実施の形態】
ばんそこうテープと布パッドの間にボードが有るため衝撃力が分散され、傷患部に直接伝わらないため衝撃痛が著しく緩和された。
【０００７】
従来のばんそこう傷テープと実施法は、変わらず使用出来た。
【０００８】
【発明の効果】
本発明は以上説明したように構成されているので、傷患部への衝撃を緩和し、柔軟性、通気性、密着性にも充分効果を奏する。
【図面の簡単な説明】
【図１】衝撃保護ばんそこう傷テープの、三層構造を分離した斜視図である。
【符号の説明】
１．ばんそこうテープ
２．ボード
３．布パッド
Ａ．通気穴
Ｂ．切れ込み
【図１】
2004008753.tif 000003
(57)【要約】【課題】従来より車椅子利用者に於いては臀部の通気性が深刻な悩みであり課題であった、本発明により座面への強制送気が実現し望ましい皮膚疾患等の予防、治療環境を提供する。【構成】車椅子車輪の廻轉を利用し送気シリンダーにて座面に強制的に送気をする構成からなる。【選択図】図１
2004008754.tif 000002
【特許請求の範囲】
【請求項１】
車椅子車輪内側にクランク取付用長穴を具へたホイールを設け、当該ホイールに弁を具へたクランクピストンを取付けこれを座面よりチューブ管にて連結したシリンダー外筒内に嵌合し、弁を具えた蓋にて密閉したことを特徴とする車椅子。
【発明の詳細な説明】
【０００１】
【発明の属する技術分野】
本発明は、走行時に座面に強制送気を行う車椅子に関する。
【０００２】
【従来の技術】
車椅子利用者に於いて臀部の通気性の問題は衛生上非常に重要である。自力での起立が不能であれば体重で圧迫された臀部付近は横になる以外に通気の手段がなく従来よりの残された課題である。
【０００３】
本発明者の出願識別番号５９９０９８４６０の吸気口と排気口を備え自然送気を行う座布団も通気対策としては最も有力であるが送気量の調整が不可能である。
【０００４】
［発明が解決しようとする課題］
本発明は以上の様な保健衛生に関する大切な通気対策が長期間に亘り発見できずに放置されてきた。今後の利用者の苦痛を解決するためのものである。
【０００５】
［課題を解決するための手段］
走行車輪の廻轉、円運動をクランク軸にて直動運動に変換し弁付ピストンにて弁付シリンダー内部の空気を圧送しチューブ管にて座席面に強制送気を行う機構である。
【０００６】
［発明の実施の形態］
図面を見ながら順次説明を行う。円運動を直動に変換する機構は広い分野で使われているが代表的なのは工作機械でも過去の機械に属するシェーパーが公知である。図１のホイール１にネジ付ピン２ナット８にてクランク９（市販のロッドエンド）を固定すれば、シリンダー１１に対し直動運動となる。
【０００７】
上記シリンダー内をピストン１２により図２の矢印方向に加圧すると空間Ａの空気は強制的にチューブ管１３を流通して座面１４に送気される、其の時イの弁は加圧密閉状態となりＢの空間は真空状態となるため外気圧が口の弁を押し開けて進入してくる反矢印の動きにはロの弁が閉じてＢの空間の圧力が上昇する為にイの弁が押圧されて開口する（イ、ロ、の弁は共に軽く閉じる様にゴム又はウレタンを使用）以上の動作にて送気を行う。
【０００８】
ホイールの中心付近にクランクを支着すれば送気運動ストロークはゼロに近くなり、長穴（アジャスト）にて外周に近い程大きくなる送気量の調整が可能である。
【０００９】
駆動源は走行であるが対圧が全んどない送気でピストンの摺動摩擦のみであり車輪径に対してのストロークも小さくエネルギー負担は少ない。
【００１０】
図３座面１５中央附近に複数のハトメ穴１６を裏側に２〜φ５ｃｍ位の空気溜り１７を設け、これに送気チューブを連結する空気溜りはネジ又はカプラにて脱着自在としておけば脱臭剤、芳香剤等好みの薬剤を入れることも可能である。
【００１１】
［発明の効果］
本発明により今迄介護者に頼らなければならなかったが走行することにより自動的に臀部の換気が可能となり臀部周辺の衛生状態が大幅に改善されインキン、タムシ、其の他の皮膚疾患の予防効果を発揮すると共に今迄の苦痛を軽減することになる。
【図面の簡単な説明】
【図１】本発明に係る平面図である。
【図２】送気シリンダーの拡大説明図。
【図３−１】座面送気口（排気口）平面図。
【図３−２】座面送気断面図。
【図４−１】ホイール、クランク側面図。
【図４−２】ホイール、クランク正面図。
【符号の説明】
１　　ホイール
２　　ネジ付ピン
３　　ホイール長ミゾ
４　　シリンダー取付ピン
５　　抜止メカラー
６　　クレビス（シリンダー取付具）
７　　軸受
８　　ナット
９　　クランク（ロットエンド）
１０　駆動輪
１１　シリンダー
１２　ピストン
１３　走行輪
１４　表地
１５　座面
１６　送気口（ハトメ穴）
１７　空気溜り
１８　ノズル
１９　シリンダー取付穴
２０　ストップリング
２１　Ｏリング
２２　シリンダー蓋
２３　座金
イ　　ピストン弁
ロ　　シリンダー弁
ハ　　通気口
ニ　　ビス
Ａ　　圧送空気
Ｂ　　吸入空気
【図１】
2004008754.tif 000003
【図２】
2004008754.tif 000004
【図３−１】
2004008754.tif 000005
【図３−２】
2004008754.tif 000006
【図４−１】
2004008754.tif 000007
【図４−２】
2004008754.tif 000008